(57)【特許請求の範囲】
【請求項１】
可撓性の曲がり管継手５を介して配管３，４を接続することにより管路１の曲がり部２が形成される免震配管構造であって、前記曲がり管継手５の途中が吊り装置７により上方から揺動自在に吊り下げられている免震配管構造の吊り装置において、
可撓性の曲がり管継手５と配管３，４とのフランジ接続部に固定される連結台座１６と、
その連結台座１６に一端が支持される片持ちの吊りアーム８と、
その吊りアーム８の他端部に取付られる吊り具１１と、を具備し、
その吊り具１１により前記曲がり管継手５の途中が支持されるように構成された免震配管構造の吊り装置。
【請求項２】
吊り装置７が伸縮可能な吊りアーム８を有し、該吊りアーム８に曲がり管継手５が揺動自在に吊り下げられている請求項１に記載の免震配管構造の吊り装置。
【請求項３】
吊りアーム８が配管３，４に旋回可能に支持される請求項２に記載の免震配管構造の吊り装置。
【発明の詳細な説明】
【０００１】
【発明の属する技術分野】
本発明は地震等により配管が損傷を受けることを防止するための免震配管構造に関し、特に敷設された管路の曲がり部における免震配管構造の吊り装置に関する。
【０００２】
【従来の技術】
工場や種々のプラントにおいては、多数の配管が施設内に敷設される。これらの配管は、地盤に設置された支持部や、建物や設備などの構築物に設けられた支持部により支持固定され敷設経路に沿って敷設されるが、地震などにより地盤が揺れたときに、多くの場合構築物と地盤の間に水平方向および垂直方向（以下、代表して水平方向という）の相対的な位置ずれを生じて、配管に損傷を与えることがある。このような水平方向の相対的な位置ずれを吸収するために、管路の曲がり部において、可撓性の曲がり管継手を介して配管を接続する方法が採用されている。しかしある程度大きい位置ずれを吸収するには、かなり長めの曲がり管継手が必要になる。
【０００３】
【発明が解決しようとする課題】
しかし、かなり長めの可撓性の曲がり管継手を使用すると、その曲がり管継手の途中が下方に垂れ下がり、曲がり管継手に常に変形応力が加わってその強度も低下し、寿命も短くなるという別の問題を生じる。
そこで本発明は、このような管路の折れ曲がり部におけるこれらの問題を解決する新しい免震配管構造およびそれに用いる吊り装置を提供することを課題とするものである。
【０００４】
【課題を解決するための手段】
前記課題を解決するための請求項１に記載の免震配管構造の吊り装置は、可撓性の曲がり管継手５を介して配管３，４を接続することにより管路１の曲がり部２が形成される免震配管構造であって、前記曲がり管継手５の途中が吊り装置７により上方から揺動自在に吊り下げられている免震配管構造の吊り装置において、
可撓性の曲がり管継手５と配管３，４とのフランジ接続部に固定される連結台座１６と、
その連結台座１６に一端が支持される片持ちの吊りアーム８と、
その吊りアーム８の他端部に取付られる吊り具１１と、を具備し、
その吊り具１１により前記曲がり管継手５の途中が支持されるように構成された免震配管構造の吊り装置である。
このように曲がり管継手５の途中が上方から吊り下げられているので、かなり長めの曲がり管継手５を使用してもその可撓性による中間部の下方への垂れ下がりを回避でき、該部分の配管強度や寿命の低下を有効に防止できる。
また曲がり管継手５は吊り装置７に揺動自在に吊り下げられるので、地震などにより曲がり管継手５に変形応力や横方向等の移動力が与えられたときに、曲がり管継手５は配管３，４に影響されることなくその可撓性に応じた変形や移動を自由に行うことができる。そのため、曲がり管継手５による免震機能を十分に発揮することが可能となる。
さらに、配管に取付けられた連結台座１６に一端が支持される片持ちの吊りアーム８を有し、その吊りアーム８の他端部に取付られた吊り具１１により、前記曲がり管継手５の途中が支持されるように構成されたので、取り付けやすく且つ信頼性の高い免震配管構造を提供できる。
【０００５】
請求項２に記載の免震配管構造の吊り装置は、請求項１に記載の免震配管構造の吊り装置の実施の形態であって、吊り装置７が伸縮可能な吊りアーム８を有し、その吊りアーム８に曲がり管継手５が揺動自在に吊り下げられていることを特徴とするものである。
このように伸縮可能な吊りアーム８を設けることにより、曲がり管継手５の吊り下げ部分を最適な位置に調整することができる。
請求項３に記載の免震配管構造の吊り装置は、請求項２に記載の免震配管構造の吊り装置の好ましい実施の形態であって、吊りアーム８が配管３，４に旋回可能に支持されることを特徴とするものである。
このように吊りアーム８を旋回可能に配管３，４に支持することにより、地震などによって曲がり管継手５に変形応力や横方向等の移動力が与えられたときに、曲がり管継手５は配管３，４に影響されることなく、その可撓性に応じた変形や移動をより大きな範囲で行うことができる。
【０００７】
【発明の実施の形態】
次に、本発明の実施の形態を図面に基づいて説明する。
図１は本発明の免震配管構造の１例を示す斜視図である。
管路１の曲がり部２は、互いに９０度異なる方向から水平に且つ直線状に延長されてくる配管３と配管４の端部付近と、それら配管３と配管４の端部間をフランジ接続する可撓性の曲がり管継手５によって構成される。配管３や配管４は、鋳鉄管などの金属製の配管でも、硬質塩化ビニル配管のような樹脂製の配管でもよい。
【０００８】
可撓性の曲がり管継手５は、異なる方向から延長されてくる配管の端部間を接続できるように、その両端部が非直線上に位置するように構成した可撓性の継手であって、図１のように配管３と配管４が９０度異なる角度で延長してくる場合には、９０度曲がったエルボ型の曲がり管継手５が使用される。使用できる可撓性の曲がり管継手５は、ゴムやプラスチック等の可撓性材料を蛇腹状に形成した管体中に補強用のナイロンコードや金属線が埋設され、その両端部に例えばフランジ部６が設けられたものである。また、図１のように端部付近のみに蛇腹部分を設けたものであってもよい。さらには、その蛇腹部分が存在しないものであってもよい。
【０００９】
本発明の免震配管構造は、曲がり管継手５の途中２箇所が配管３および配管４に支持された一対の吊り装置７により上方から揺動自在に吊り下げられたものである。吊り装置７は、断面コ字型の細長いベース部９と断面コ字型の細長いスライド部１０を組み合わせて構成した伸縮可能な吊りアーム８を備えており、その先端部に取り付けた吊り具１１に曲がり管継手５の途中が吊り下げられる。なお吊り具１１としては、例えば柔軟性のあるロープなどの線状体を曲がり管継手５の外径より大きめの直径を有するループ状に形成して、吊りアーム８の先端部に取り付けることにより、曲がり管継手５の途中を揺動自在に吊り下げることができる。
【００１０】
図２に示すように、ベース部９はその一方の端部付近の底辺に１つのボルト孔１２、他方の端部付近の底辺に２つのボルト孔１３が設けられ、スライド部１０はその一方の端部付近の底辺に長手方向に細長いスリット部１４、他方の端部付近の底辺に１つのボルト孔１５が設けられている。
ベース部９は連結台座１６を介して、配管３のフランジ１７（または配管４のフランジ１８）に旋回可能に支持される。連結台座１６は連結部１６ａとそれに直交する台座部１６ｂからなり、図３に示すように連結部１６ａは下方に配管３に適合する内径の円弧部１６ｃが形成されると共に、その両端部に一対のボルト孔１６ｄが設けられる。また台座部１６ｂは円板状に形成され、その周辺部付近に１つのねじ孔１６ｅが設けられる。
【００１１】
次に、図２を参照して吊り装置７を配管３に支持する方法を説明すると、先ずベース部９とスライド部１０のそれぞれの底辺を背合わせに重ね、さらに全体が所定の長さになるようにボルト孔１３とスリット１４を位置合わせして２本のボルト１４ａでそれらを結合する。
次に、配管３のフランジ１７（または配管４のフランジ１８）と曲がり管継手５のフランジ６を締結するボルト１９を２本外し、連結台座１６の連結部１６ａをフランジ１７の側面に密着させ、その連結部１６ａの２つのボルト孔１６ｄをフランジ１７のボルト孔に一致させる。次いでフランジ６，１７のボルト孔および連結部１６ａのボルト孔１６ｄにボルト１９を挿通してナット（図示せず）を螺着することにより、連結台座１６を配管３に支持させる。次にボルト２０を座金２１に通してベース部９のボルト孔１２に挿入し、台座部１６ｂのねじ孔１６ｅに螺着することにより、吊りアーム８が連結台座１６に回動自在に連結される。
【００１２】
次にスライド部１０のボルト孔１５にリング状の挿通孔を頭部に設けたアイボルト２２を挿通し、ナット２３で掛止める。そして曲がり管継手５の途中を吊り下げた吊り具１１の端をこのアイボルト２２の挿通して連結することにより、図１の状態になる。なお、曲がり管継手５の吊り下げ位置が適当でないときには、吊りアーム８の長さを調整すればよい。
上記のようにボルト２０を台座部１６ｂのねじ孔１６ｅに止着することにより、吊りアーム８を配管３に対して旋回可能に支持できる。それによって曲がり管継手５がより自由に変形または移動できるようになる。しかしそのような自由度を必要としない場合には、ボルト２０を台座部１６ｂのねじ孔１６ｅに固く締結することにより、吊りアーム８が配管３に対して旋回しないようにすることもできる。
【００１３】
次に図１に示す免震配管構造の作用を説明すると、例えば配管３が構築物側に支持され、配管４が地盤側に支持されている場合、地震などにより構築物側の配管３に対して地盤側の配管４に矢印Ａのような相対的な力が加わったときは、曲がり管継手５はその力により配管４側の部分がＡ方向に移動し、配管３側の部分がそれに伴って矢印Ａ方向に曲げられて変形する。その際、配管３側の部分は吊り具１１に揺動自在に吊り下げられているので、配管３の影響を受けることなく自由に変形できる。また、地盤側の配管４に矢印Ａと逆方向の相対的な力が加わったときは、配管３側の部分がそれに伴って矢印Ａと逆方向に曲げ変形される。なお、地盤側の配管４に対して構築物側の配管３に矢印Ｂのような相対的な力が加わったときは、曲がり管継手５はその力により配管３側の部分がＢ方向に移動し、配管４側の部分がそれに伴って矢印Ｂ方向に曲げられて変形する。その際、配管４側の部分は吊り具１１に揺動自在に吊り下げられているので、配管４の影響を受けることなく自由に変形できる。さらに構築物側の配管３に矢印Ｂと逆方向の相対的な力が加わったときは、配管４側の部分がそれに伴って矢印Ｂと逆方向に曲げられて変形する。
【００１４】
【発明の効果】
以上のように請求項１に記載された免震配管構造の吊り装置は、曲がり管継手の途中が配管に支持された吊り装置により上方から揺動自在に吊り下げられているので、かなり長めの曲がり管継手を使用しても、その可撓性による中間部の下方への垂れ下がりを回避でき、該部分の配管強度および寿命の低下を有効に防止できる。
また、曲がり管継手は吊り装置に揺動自在に吊り下げられるので、地震などにより曲がり管継手に変形応力や横方向等の移動力が与えられたときに、曲がり管継手は配管に影響されることなく、その可撓性に応じた変形や移動を自由に行うことができる。そのため、曲がり管継手による免震機能を十分に発揮することが可能となる。
さらに、配管に取付けられた連結台座１６に一端が支持される片持ちの吊りアーム８を有し、その吊りアーム８の他端部に取付られた吊り具１１により、前記曲がり管継手５の途中が支持されるように構成されたので、取り付けやすく且つ信頼性の高い免震配管構造の吊り装置を提供できる。
【００１５】
また請求項２に記載の免震配管構造の吊り装置は、吊り装置が伸縮可能な吊りアームを有し、その吊りアームに曲がり管継手が揺動自在に吊り下げられているので、曲がり管継手の吊り下げ部分を最適な位置に調整することができる。
さらに請求項３に記載の免震配管構造の吊り装置は、吊りアームが配管に旋回可能に支持されるので、地震などによって曲がり管継手に変形応力や横方向等の移動力が与えられたときに、曲がり管継手は配管に影響されることなく、その可撓性に応じた変形や移動をより大きな許容範囲で行うことができる。
【図面の簡単な説明】
【図１】本発明の免震配管構造の１例を示す斜視図。
【図２】図１の免震配管構造における吊り装置７を分解して示す斜視図。
【図３】図２における連結台座１６の拡大正面図。
【符号の説明】
１  管路
２  曲がり部
３  配管
４  配管
５  曲がり管継手
６  フランジ
７  吊り装置
８  吊りアーム
９  ベース部
１０  スライド部
１１  吊り具
１２  ボルト孔
１３  ボルト孔
１４  スリット部
１４ａ  ボルト
１５  ボルト孔
１６  連結台座
１６ａ  連結部
１６ｂ  台座部
１６ｃ  円弧部
１６ｄ  ボルト孔
１６ｅ  ねじ孔
１７  フランジ
１８  フランジ
１９  ボルト
２０  ボルト
２１  座金
２２  アイボルト
２３  ナット
【図１】
0004196021.tif 000002
【図２】
0004196021.tif 000003
【図３】
0004196021.tif 000004